(57)【要約】【課題】情報管理装置の利用者は、値データが登録漏れ（作業ミス）のために検索結果データが空欄なのか、登録しようにもその時点では値データ自身が決まっていないがために空欄になっているのか判断がつかない不都合があった。【解決手段】制御部２４とデータベース７を格納したデータベース格納部２５を備え、データベース７に値テーブルと日付テーブルを有し、データベース７を利用して情報の登録及び検索を含む情報管理を行う。そして、制御部２４がデータベース７を検索することにより、値テーブルの検索対象の値データが検索結果対象でありながら同値データが空欄であると判断した場合は、その値データに対応した日付テーブルの日付データを検索結果として出力する第１制御手段（制御部２４の一部）を備えている。【選択図】図１
2008146513.tif 000002
【特許請求の範囲】
【請求項１】
装置内の各種処理や制御を行う制御部と、データベースを格納したデータベース格納部と、検索結果出力データを格納する検索結果出力データ格納部とを少なくとも備え、前記データベースに、検索対象データを登録する値テーブルと、前記値テーブルに値を登録する予定日を記した日付テーブルを有し、前記データベースを利用して情報の登録及び検索を含む情報管理を行う情報管理装置であって、
前記制御部が前記データベースを検索することにより、前記値テーブルの検索対象の値データが検索結果対象でありながら、同値データが空欄であると判断した場合は、その値データに対応した前記日付テーブルの日付データを検索結果として出力する第１制御手段を備えていることを特徴とする情報管理装置。
【請求項２】
前記日付テーブル上に、値データに対応した日付データとして、値を登録する予定日と、登録した完了日の２つのデータ領域を設け、
前記制御部が前記データベースを検索することにより、対応する値テーブルの値データが空欄でなくても、登録完了日データが未承認の状態であると判断した場合は、前記登録予定日データか、前記登録完了日データのいずれかを検索結果として出力する第２制御手段と、
前記制御部が前記データベースを検索することにより、前記値テーブルの値データが空欄でなくて、前記登録完了日データが承認の状態であると判断した場合は、値テーブルの当該する値データを検索結果として出力する第３制御手段を備えていることを特徴とする請求項１記載の情報管理装置。
【請求項３】
前記値テーブル上に、前記値テーブルの当該する値データに対応した日付データが複数存在する場合は、日付データを特定できる識別手段を設け、
前記制御部は、前記識別手段の識別機能で特定の日付データを検索結果として出力する第４制御手段を備えていることを特徴とする請求項１又は２記載の情報管理装置。
【請求項４】
前記制御部は、前記日付データに任意の文字や記号を付加した状態、又は全く別の情報に置き換え、検索結果として出力する第５制御手段を備えていることを特徴とする請求項１乃至３の何れかに記載の情報管理装置。
【請求項５】
前記制御部が前記データベースを検索することにより、前記値テーブルに複数の値データがあるものの、日付テーブルには、それらの値データに対応した日付データが存在するものと、存在しないものとが混在していると判断した場合には、値データ毎に日付データ有無フラグをセットし、そのフラグによって検索結果出力を制御する第６制御手段を備えていることを特徴とする請求項１又は２記載の情報管理装置。
【請求項６】
前記制御部は、前記値テーブルにおいて値データ毎に値データ開示フラグをセットし、そのフラグによって当該値データを検索結果出力として開示するか否かを制御する第７制御手段を備えていることを特徴とする請求項１又は２記載の情報管理装置。
【請求項７】
装置内の各種処理や制御を行う制御部と、データベースを格納したデータベース格納部と、検索結果出力データを格納する検索結果出力データ格納部とを少なくとも備え、前記データベースに、検索対象データを登録する値テーブルと、前記値テーブルに値を登録する予定日を記した日付テーブルを有し、前記データベースを利用して情報の登録及び検索を含む情報管理を行う情報管理装置の情報管理方法であって、
前記制御部が前記データベースを検索することにより、前記値テーブルの検索対象の値データが検索結果対象でありながら、同値データが空欄であると判断した場合は、その値データに対応した前記日付テーブルの日付データを検索結果として出力する第１ステップを有することを特徴とする情報管理装置の情報管理方法。
【請求項８】
前記日付テーブル上に、値データに対応した日付データとして、値を登録する予定日と、登録した完了日の２つのデータ領域を設け、
前記制御部が前記データベースを検索することにより、対応する値テーブルの値データが空欄でなくても、登録完了日データが未承認の状態であると判断したら、前記登録予定日データか、前記登録完了日データのいずれかを検索結果として出力する第２ステップと、
前記制御部が前記データベースを検索することにより、前記値テーブルの値データが空欄でなくて、前記登録完了日データが承認の状態であると判断した場合は、値テーブルの当該する値データを検索結果として出力する第３ステップを有することを特徴とする請求項７記載の情報管理装置の情報管理方法。
【請求項９】
装置内の各種処理や制御を行う制御部と、データベースを格納したデータベース格納部と、検索結果出力データを格納する検索結果出力データ格納部とを少なくとも備え、前記データベースに、検索対象データを登録する値テーブルと、前記値テーブルに値を登録する予定日を記した日付テーブルを有し、前記データベースを利用して情報の登録及び検索を含む情報管理を行う情報管理装置を、
前記制御部が前記データベースを検索することにより、前記値テーブルの検索対象の値データが検索結果対象でありながら、同値データが空欄であると判断した場合は、その値データに対応した前記日付テーブルの日付データを検索結果として出力する第１制御手段として機能させるためのプログラム。
【請求項１０】
前記日付テーブル上に、値データに対応した日付データとして、値を登録する予定日と、登録した完了日の２つのデータ領域を設け、
前記制御部が前記データベースを検索することにより、対応する値テーブルの値データが空欄でなくても、登録完了日データが未承認の状態であると判断した場合は、前記登録予定日データか、前記登録完了日データのいずれかを検索結果として出力する第２制御手段と、
前記制御部が前記データベースを検索することにより、前記値テーブルの値データが空欄でなくて、前記登録完了日データが承認の状態であると判断した場合は、値テーブルの当該する値データを検索結果として出力する第３制御手段として機能させるための請求項９記載のプログラム。
【発明の詳細な説明】
【技術分野】
【０００１】
本発明は、電子機器又は電気製品等（例えば、携帯電話機）の設計から製造に至るまでの工程で必要な情報を管理する装置として利用可能であって、少なくとも、検索対象データテーブル（以下、「値テーブル」と記す）と、前記値テーブルに値を登録する予定日を記した日付テーブルを用いて情報の管理（登録、検索）を行う情報管理装置、情報管理装置の情報管理方法及びプログラムに関する。
【０００２】
また、本発明の情報管理装置は、作業日程（スケジュール・データ）とその作業の結果から得られるデータ（作業結果としての値データ）の両方をデータベースで管理するような技術分野で利用可能である。例えば、治療検査情報管理装置（又は、情報管理システム）、建物耐震強度実施情報管理装置（又は、情報管理システム）、車検情報管理装置（又は、情報管理システム）等の技術分野で利用可能である。
【背景技術】
【０００３】
§１：従来例１の説明
従来、電子機器等の設計から製造に至るまでの工程で必要な情報を管理するシステムに利用可能であって、少なくとも、検索対象データテーブル（値テーブル）を用いて情報の管理（登録、検索）を行う情報管理装置（又は情報管理システム）が知られていた。
【０００４】
このような従来の装置では、検索対象データテーブル（値テーブル）のみを用いていたため、検索者対象項目の値データが空欄（Ｎｕｌｌ）の場合、当該項目の検索結果データは空欄を出力していた。
【０００５】
また、従来、前記システムにおいて、値テーブルと日付テーブルの両方を有した情報管理装置（又は、情報管理システム）も知られていた。しかし、このような装置では、値テーブルと日付テーブルの間で関連付けはない状態で利用していた。
【０００６】
§２：従来例２の説明
以下、特許文献１を従来例２として説明する。従来例２には次のような内容が記載されている。
【０００７】
(a) ：「個人やグループに関するスケジュール機能、施設予約スケジュール機能と、ワープロや図形、表計算等のアプリケーション・プログラムを用いて作成したファイルとを組み合わせ、各種スケジュールを照合した総合的スケジューリングを円滑容易に行えるスケジュール管理システムを提供することにある。」・・・要約の欄を参照
(b) ：「複数のスケジュール画面を同一画面上に整理して表示し、またそれを元の状態に戻して表示することができるため、個人のスケジュールと施設管理、工程管理等の機能を容易に結び付けることができ、より円滑なスケジューリングを行うことができる。」・・・段落番号［００１６］参照
【特許文献１】特開平７−２８２１２９号公報
【発明の開示】
【発明が解決しようとする課題】
【０００８】
(1) ：従来例１では、情報管理装置のテーブルが値テーブルのみであったため、検索者対象項目の値データが空欄（Ｎｕｌｌ）の場合、当該項目の検索結果データは空欄を出力することになってしまう。この場合、情報管理装置（又はシステム）の利用者は、値データが登録漏れ（作業ミス）のために検索結果データが空欄なのか、登録しようにもその時点では値データ自身が決まっていないがために空欄になっているのか判断がつかない不都合があった。
【０００９】
(2) ：また、従来例１では、値テーブルと日付テーブルの両方を有した情報管理装置（又はシステム）においても、前者と後者のテーブル間でデータの関連付けがなかった（前者の値テーブルに値データを登録し忘れた状態で、後者の日付テーブルには登録完了日を入力してもエラー・チェックがかからなかった）ので、情報管理装置（又はシステム）のデータ登録品質を妨げる要因の一つとなっていた。
【００１０】
(3) ：従来例２では、個人やグループに関するスケジュール機能、施設予約スケジュール機能と、ワープロや図形、表計算等のアプリケーション・プログラムを用いて作成したファイルとを組み合わせ、各種スケジュールを照合した総合的スケジューリングを円滑容易に行えるスケジュール管理システムを提供するという内容である。すなわち、スケジュール画面上で予定を設定している箇所を指示すると、予定に関する事項を表示するものである。
【００１１】
しかし、従来例２には、本発明のように、値テーブルと日付テーブルの両方を備え、両者のテーブルを関連付けて使用するという内容は開示されてなく、本発明のバックグラウンド、または単なる参考程度の内容である。
【００１２】
従って、本発明は、前記従来の課題を解決するためになされたものであり、該当データの値が未決定（未登録）の場合は、その値データが登録されるであろう予定日が検索結果として出力できるようにすることで、オペレータ等の係員が、当該値データが未決定（未登録）の場合でも、登録漏れか否かを関連部署へ問い合わせることなく作業段取りのコントロールができるようにした情報管理装置を提供することを目的とする。
【課題を解決するための手段】
【００１３】
本発明は前記の目的を達成するため、次のように構成した。
【００１４】
(1) ：装置内の各種処理や制御を行う制御部と、データベースを格納したデータベース格納部と、検索結果出力データを格納する検索結果出力データ格納部とを少なくとも備え、前記データベースに、検索対象データを登録する値テーブルと、前記値テーブルに値を登録する予定日を記した日付テーブルを有し、前記データベースを利用して情報の登録及び検索を含む情報管理を行う情報管理装置であって、前記制御部が前記データベースを検索することにより、前記値テーブルの検索対象の値データが検索結果対象でありながら、同値データが空欄であると判断した場合は、その値データに対応した前記日付テーブルの日付データを検索結果として出力する第１制御手段を備えている情報管理装置。
【００１５】
(2) ：前記(1) の情報管理装置において、前記日付テーブル上に、値データに対応した日付データとして、値を登録する予定日と、登録した完了日の２つのデータ領域を設け、前記制御部が前記データベースを検索することにより、対応する値テーブルの値データが空欄でなくても、登録完了日データが未承認の状態であると判断した場合は、前記登録予定日データか、前記登録完了日データのいずれかを検索結果として出力する第２制御手段と、前記制御部が前記データベースを検索することにより、前記値テーブルの値データが空欄でなくて、前記登録完了日データが承認の状態であると判断した場合は、値テーブルの当該する値データを検索結果として出力する第３制御手段を備えた情報管理装置。
【００１６】
(3) ：前記(1) 又は(2) の情報管理装置において、前記値テーブル上に、前記値テーブルの当該する値データに対応した日付データが複数存在する場合は、日付データを特定できる識別手段を設け、前記制御部は、前記識別手段の識別機能で特定の日付データを検索結果として出力する第４制御手段を備えている情報管理装置。
【００１７】
(4) ：前記(1) 又は(2) の情報管理装置において、前記制御部は、前記日付データに任意の文字や記号を付加した状態、又は全く別の情報に置き換え、検索結果として出力する第５制御手段を備えている情報管理装置。
【００１８】
(5) ：前記(1) 又は(2) の情報管理装置において、前記制御部が前記データベースを検索することにより、前記値テーブルに複数の値データがあるものの、日付テーブルには、それらの値データに対応した日付データが存在するものと、存在しないものとが混在していると判断した場合には、値データ毎に日付データ有無フラグをセットし、そのフラグによって検索結果出力を制御する第６制御手段を備えている情報管理装置。
【００１９】
(6) ：前記(1) 又は(2) の情報管理装置において、前記制御部は、前記値テーブルにおいて値データ毎に値データ開示フラグをセットし、そのフラグによって当該値データを検索結果出力として開示するか否かを制御する第７制御手段を備えている情報管理装置。
【００２０】
(7) ：装置内の各種処理や制御を行う制御部と、データベースを格納したデータベース格納部と、検索結果出力データを格納する検索結果出力データ格納部とを少なくとも備え、前記データベースに、検索対象データを登録する値テーブルと、前記値テーブルに値を登録する予定日を記した日付テーブルを有し、前記データベースを利用して情報の登録及び検索を含む情報管理を行う情報管理装置の情報管理方法であって、前記制御部が前記データベースを検索することにより、前記値テーブルの検索対象の値データが検索結果対象でありながら、同値データが空欄であると判断した場合は、その値データに対応した前記日付テーブルの日付データを検索結果として出力する第１ステップを有する情報管理装置の情報管理方法。
【００２１】
(8) ：前記(7) 情報管理装置の情報管理方法において、前記日付テーブル上に、値データに対応した日付データとして、値を登録する予定日と、登録した完了日の２つのデータ領域を設け、前記制御部が前記データベースを検索することにより、対応する値テーブルの値データが空欄でなくても、登録完了日データが未承認の状態であると判断したら、前記登録予定日データか、前記登録完了日データのいずれかを検索結果として出力する第２ステップと、前記制御部が前記データベースを検索することにより、前記値テーブルの値データが空欄でなくて、前記登録完了日データが承認の状態であると判断した場合は、値テーブルの当該する値データを検索結果として出力する第３ステップを有する情報管理装置の情報管理方法。
【００２２】
（作用）
図１は本発明の原理説明図である。以下、図１を参照しながら本発明の作用を説明する。
【００２３】
(a) ：前記(1) 、(9) の作用
情報管理装置は、データベースに、検索対象データを登録する値テーブルと、前記値テーブルに値を登録する予定日を記した日付テーブルを有し、前記データベースを利用して情報の登録及び検索を含む情報管理を行う。この場合、第１制御手段は、値テーブルの検索対象の値データが検索結果対象でありながら、同値データが空欄であると判断した場合は、その値データに対応した日付テーブルの日付データを検索結果として出力する。
【００２４】
このように該当データの値が未決定（未登録）の場合は、その値データが登録されるであろう予定日が検索結果として出力できるようにすることで、オペレータ等の係員が、当該値データが未決定（未登録）の場合でも、登録漏れか否かを関連部署へ問い合わせることなく作業段取りのコントロールができる。
【００２５】
(b) ：前記(2) 、(10)の作用
第２制御手段は、対応する値テーブルの値データが空欄でなくても、登録完了日データが未承認の状態であると判断した場合は、登録予定日データか、登録完了日データのいずれかを検索結果として出力する。
【００２６】
また、第３制御手段は、値テーブルの値データが空欄でなくて、登録完了日データが承認の状態であると判断した場合は、値テーブルの当該する値データを検索結果として出力する。
【００２７】
このように該当データの値が未決定（未登録）の場合は、その値データが登録されるであろう予定日が検索結果として出力できるようにすることで、オペレータ等の係員が、当該値データが未決定（未登録）の場合でも、登録漏れか否かを関連部署へ問い合わせることなく作業段取りのコントロールができる。
【００２８】
(c) ：前記(3) の作用
第４制御手段は、識別手段の識別機能で特定の日付データを検索結果として出力する。このようにすれば、オペレータ等の係員が、当該値データが未決定（未登録）の場合でも、登録漏れか否かを関連部署へ問い合わせることなく作業段取りのコントロールができる。
【００２９】
このように該当データの値が未決定（未登録）の場合は、その値データが登録されるであろう予定日が検索結果として出力できるようにすることで、オペレータ等の係員が、当該値データが未決定（未登録）の場合でも、登録漏れか否かを関連部署へ問い合わせることなく作業段取りのコントロールができる。
【００３０】
(d) ：前記(4) の作用
第５制御手段は、日付データに任意の文字や記号を付加した状態、又は全く別の情報に置き換え、検索結果として出力する。このように、該当データの値が未決定（未登録）の場合は、その値データが登録されるであろう予定日が検索結果として出力できるようにすることで、オペレータ等の係員が、当該値データが未決定（未登録）の場合でも、登録漏れか否かを関連部署へ問い合わせることなく作業段取りのコントロールができる。
【００３１】
(e) ：前記(5) の作用
第６制御手段は、値テーブルに複数の値データがあるものの、日付テーブルには、それらの値データに対応した日付データが存在するものと、存在しないものとが混在していると判断した場合には、値データ毎に日付データ有無フラグをセットし、そのフラグによって検索結果出力を制御する。
【００３２】
このように、該当データの値が未決定（未登録）の場合は、その値データが登録されるであろう予定日が検索結果として出力できるようにすることで、オペレータ等の係員が、当該値データが未決定（未登録）の場合でも、登録漏れか否かを関連部署へ問い合わせることなく作業段取りのコントロールができる。
【００３３】
(f) ：前記(6) の作用
第７制御手段は、値テーブルにおいて値データ毎に値データ開示フラグをセットし、そのフラグによって当該値データを検索結果出力として開示するか否かを制御する。このように、該当データの値が未決定（未登録）の場合は、その値データが登録されるであろう予定日が検索結果として出力できるようにすること（元々、日付けデータが存在しない場合はその旨の識別表示を出力する）で、オペレータ等の係員が、当該値データが未決定（未登録）の場合でも、登録漏れか否かを関連部署へ問い合わせることなく作業段取りのコントロールができる。
【００３４】
(g) ：前記(7) の作用
第１ステップでは、値テーブルの検索対象の値データが検索結果対象でありながら、同値データが空欄であると判断した場合は、その値データに対応した前記日付テーブルの日付データを検索結果として出力する。
【００３５】
このように、該当データの値が未決定（未登録）の場合は、その値データが登録されるであろう予定日が検索結果として出力できるようにすることで、オペレータ等の係員が、当該値データが未決定（未登録）の場合でも、登録漏れか否かを関連部署へ問い合わせることなく作業段取りのコントロールができる。
【００３６】
(h) ：前記(8) の作用
第２ステップでは、対応する値テーブルの値データが空欄でなくても、登録完了日データが未承認の状態であると判断したら、前記登録予定日データか、登録完了日データのいずれかを検索結果として出力する。
【００３７】
次に、第３ステップでは、値テーブルの値データが空欄でなくて、前記登録完了日データが承認の状態であると判断した場合は、値テーブルの当該する値データを検索結果として出力する。このように、該当データの値が未決定（未登録）の場合は、その値データが登録されるであろう予定日が検索結果として出力できるようにすることで、オペレータ等の係員が、当該値データが未決定（未登録）の場合でも、登録漏れか否かを関連部署へ問い合わせることなく作業段取りのコントロールができる。
【発明の効果】
【００３８】
請求項１乃至１０では、次のような効果がある。
【００３９】
(1) ：該当データの値が未決定（未登録）の場合は、その値データが登録されるであろう予定日が検索結果として出力できるようにすることで、オペレータ等の係員が、当該値データが未決定（未登録）の場合でも、登録漏れか否かを関連部署へ問い合わせることなく作業段取りのコントロールができるようにすることができる。
【００４０】
(2) ：例えば、プリント板ユニットへ電子部品を搭載する場合において、電子部品のプリント板ユニット搭載条件値は当該部品を評価し（マウンターの条件出しや半田付け条件出しなどを評価し）、その結果から前述の搭載条件値（値データ）が決まるのが一般的である。
【００４１】
この決定した条件値（値データ）情報管理装置の値テーブルに登録することによって、プリント板ユニット組立工場のオペレータは、情報管理装置で、ものずくり条件値を検索しながらプリント板ユニットへの電子部品を搭載することができる、あるいはマウンターに前述の決定した条件値をインプットすることによってプリント板ユニットへの電子部品の自動搭載も実現できる。
【００４２】
(3) ：仮に、当該電子部品の該当項目データ自身が存在しない、つまり該当データの値が未決定（未登録）の場合は、その値データが登録されるであろう予定日が検索結果として出力されるので、オペレータは当該値データが未登録でも、登録漏れか否かを関係部署へ問い合わせることなく作業段取りのコントロールができる。
【発明を実施するための最良の形態】
【００４３】
以下、情報管理装置の具体例について詳細に説明する。なお、以下に説明する例は、複数の電子部品を用いて、電子機器又は電気製品（例えば、携帯電話機）を製造する場合に、その設計から製造に至るまでの過程（設計工程＋製造工程）で必要となる情報の管理を行うための情報管理装置（コンピュータで実現可能）の例である。
【００４４】
特に、以下の説明では、前記電子機器又は電気製品（例えば、携帯電話機）を設計及び製造を行う場合に、その部品である電子部品を半田付けを行って製造する例について説明する。
【００４５】
§１：情報管理装置の概要の説明
図１は本発明の原理説明図である。以下、図１に基づき、情報管理装置の概要を説明する。
【００４６】
(1) ：装置内の各種処理や制御を行う制御部２４（例えば、ＣＰＵ等のプロセッサ＋プログラムを含む）と、データベース７を格納したデータベース格納部２５と、検索結果出力データを格納する検索結果出力データ格納部１５（例えば、メモリー）と、入出力制御を行う入出力制御部（図中には未記載）と、データ入力を行うデータ入力部と、検索項目の入力を行う検索項目入力部と、検索結果データを出力する検索結果データ出力部を備え、データベース７に、検索対象データを登録する値テーブルと、前記値テーブルに値を登録する予定日を記した日付テーブルを有し、前記データベースを利用して情報の登録及び検索を含む情報管理を行う情報管理装置であって、制御部２４がデータベース７を検索することにより、値テーブルの検索対象の値データが検索結果対象でありながら、同値データが空欄であると判断した場合は、その値データに対応した日付テーブルの日付データを検索結果として出力する第１制御手段（制御部２４の一部）を備えている。
【００４７】
(2) 日付テーブル上に、値データに対応した日付データとして、値を登録する予定日と、登録した完了日の２つのデータ領域を設け、制御部２４が前記データベース７を検索することにより、対応する値テーブルの値データが空欄でなくても、登録完了日データが未承認の状態であると判断した場合は、登録予定日データか、登録完了日データのいずれかを検索結果として出力する第２制御手段（制御部２４の一部）と、制御部２４がデータベース７を検索することにより、値テーブルの値データが空欄でなくて、登録完了日データが承認の状態であると判断した場合は、値テーブルの当該する値データを検索結果として出力する第３制御手段（制御部２４の一部）を備えている。
【００４８】
(3) ：値テーブル上に、値テーブルの当該する値データに対応した日付データが複数存在する場合は、日付データを特定できる識別手段（例えば、フラグ）を設け、制御部２４は、識別手段の識別機能で特定の日付データを検索結果として出力する第４制御手段（制御部２４の一部）を備えている。
【００４９】
(4) ：制御部２４は、日付データに任意の文字や記号を付加した状態、又は全く別の情報に置き換え、検索結果として出力する第５制御手段（制御部２４の一部）を備えている。
【００５０】
(5) ：制御部２４がデータベース７を検索することにより、値テーブルに複数の値データがあるものの、日付テーブルには、それらの値データに対応した日付データが存在するものと、存在しないものとが混在していると判断した場合には、値データ毎に日付データ有無フラグをセットし、そのフラグによって検索結果出力を制御する第６制御手段（制御部２４の一部）を備えている。
【００５１】
(6) ：制御部２４は、値テーブルにおいて値データ毎に値データ開示フラグをセットし、そのフラグによって当該値データを検索結果出力として開示するか否かを制御する第７制御手段（制御部２４の一部）を備えている。
【００５２】
(7) ：制御部２４は、値テーブルの値データが登録され承認された時点で、値データに対応する日付テーブル上の登録完了日データを自動的にセットし、承認者の登録完了日データの承認行為を行わないように制御する第８制御手段（制御部２４の一部）を備えている。
【００５３】
(8) ：制御部２４がデータベース７を検索することにより、値テーブルの値データが空欄（Ｎｕｌｌ）の状態であると判断した場合、対応する日付テーブル上の登録完了日データを登録しようとすると、日付データ登録完了作業ができないように制御を行う第９制御手段（制御部２４の一部）を備えている。
【００５４】
(9) ：制御部２４がデータベース７を検索することにより、検索結果として出力する日付テーブルの登録予定日データが過去の日付データであったと判断した場合には、予め決めたルールの日付データを検索結果として出力する第１０制御手段（制御部２４の一部）を備えている。
【００５５】
(10)：制御部２４がデータベース７を検索することにより、日付テーブルに複数の登録予定日データが登録承認されていて、それに対応する複数の登録完了日データが全て登録承認されていると判断した場合は、自動的に該当する値データの開示フラグを立てる第１１制御手段（制御部２４の一部）を備えている。
【００５６】
§２：装置設計・製造試験プロセス全体の説明
図２は装置設計・製造試験プロセス全体の説明図である。装置設計・製造試験プロセス全体としては、装置設計プロセスと、装置製造試験プロセスとがあり、装置設計プロセスで設計された情報を基に、装置製造試験プロセスで装置製造及び試験を行う。
【００５７】
(1) ：装置設計プロセスの説明
このプロセスでは、先ず、部品選定で部品リスト１を作成する。次に、回路・実装基本設計を行い、基本回路図２を作成する。次に、回路・実装詳細設計（ＣＡＤ設計）を行い、ＢＯＭ（Bill of Materials:部品表又は部品構成表）３を作成する。このようなプロセスにおいて、部品選定のプロセスでは、「新部品」評価を行い、例えば、電子部品（電子部品Ａ、Ｂ、Ｃ等）のリスト４を作成する。
【００５８】
そして、電子部品（電子部品Ａ、Ｂ、Ｃ等）のリスト４を基に、「新部品」評価情報をデータベース７に登録する。この場合、データベース７には、評価結果（値テーブル）、評価進捗（日付けテーブル）やその他の各種テーブルが登録される。次に、前記電子部品（電子部品Ａ、Ｂ、Ｃ等）のリスト４と前記データベース７の情報を基に、ＣＡＤライブラリ５を作成し、このＣＡＤライブラリ５を、前記回路・実装詳細設計（ＣＡＤ設計）のプロセスで登録（ＣＡＤ装置等に登録）する。
【００５９】
また、前記回路・実装詳細設計（ＣＡＤ設計）のプロセスで作成したＢＯＭ３を基に、装置設計情報を作成して装置設計情報格納部６に格納する。また、装置製造試験情報を作成して装置製造試験情報格納部８に格納する。
【００６０】
(2) ：装置製造試験プロセスの説明
装置製造試験プロセスでは、装置製造試験情報格納部８の情報を基に装置製造試験等を行う。この場合、前記装置製造試験情報格納部８の情報と、データベース７の情報を基にＣＡＭデータを作成し、このＣＡＭデータをＣＡＭデータ格納部９に格納する。次に、ＣＡＭデータ格納部９のＣＡＭデータを用いて装置等の製造を行う。
【００６１】
例えば、電子部品を使用した装置（例えば、携帯電話機）の製造工程では、その構成部品であるプリント板の製造（電子部品の半田付け等）を行う。その後、プリント板（ＰＴ板）ユニット試験工程を経て、装置組立、装置試験を行い、製品が完成する。
【００６２】
(3) ：装置設計プロセス及び装置製造試験プロセスの説明
前記のようにして、装置設計プロセス及び装置製造試験プロセスを行って製品が完成するが、本発明は、前記デーベース７にデータを登録したり、或いはデータベース７を検索したりする場合（図２において、網かけ部分が該当する）に適用されるものである。
【００６３】
§３：情報管理装置の構成の説明
図３は情報管理装置のブロックダイヤグラム例である。図３に示した情報管理装置は、入出力制御部１１と、ＣＰＵ１２と、ハードディスク装置に格納されたデータベース７（単に、「ＤＢ」とも略記する）と、ＷＯＲＫメモリー部（ワークメモリー部）１４と、検索結果出力データ格納部１５（例えば、メモリー等の記憶手段）と、前記入出力制御部１１に接続されたデータ入力部１６、検索結果データ出力部１７、及び検索項目入力部１８等により構成されている。
【００６４】
また、前記データベース７には、値テーブル、日付テーブル、値データ開示テーブル、日付データ有無テーブル、登録／承認日テーブル、エラーチェックルール・テーブル等が格納されている。データ入力部１６は値データや日付テーブルにデータを登録するための入力部である。
【００６５】
検索結果データ出力部１７は、検索項目入力部１８で与えられた検索項目や検索条件を満足した値テーブルのデータなどを基にした検索結果出力データ格納部１５に格納されているデータを出力する部分である。ＷＯＲＫメモリー部（ワークメモリー部）１４は、検索結果出力データを生成する際の作業用メモリー部であり、ＣＰＵ１２が、データ加工やデータの自動生成処理及びエラーを含めた各種判断や作業実行の処理をする部分である。入出力制御部１１は、データ入力部１６や検索項目入力部１８を制御する部分である。
【００６６】
§４：検索結果出力例の比較（従来例と本発明との比較）説明
図４は情報検索結果出力例の比較説明図であり、Ａ図は従来例、Ｂ図は本発明である。図４のＡ図とＢ図では、電子部品Ａは半田付けデータが全て登録されている。また、電子部品Ｂは全く登録されていない。また、電子部品Ｃは回数データのみ未登録の状態である。
【００６７】
しかし、図４のＢ図（本発明）では、電子部品Ｂの温度と回数のデータが２００６年１０月２５日に、時間データが２００６年１０月２０日にそれぞれ登録されることを示している（図の網かけ部分を参照）。このように従来例と本発明では、情報管理の仕方が異なっている。
【００６８】
§５：情報管理装置の具体例及び使用状態の説明
図５は情報管理装置例である。図５に示したように、情報管理装置２３（任意のコンピュータで実現可能）は、ＣＰＵ１２（図１の制御部２４に対応する）と、データベース７を格納したハードディスク装置２５Ａと、検索結果出力データ格納部１５と、ワーク用メモリー部１４等を備えている。また、前記データベース７には、検索対象データを登録する値テーブルと、前記値テーブルに値を登録する予定日を記した日付テーブルと、その他の情報テーブル等を有する。また、ハードディスク装置２５Ａには、情報管理装置２３が実行する情報管理（情報の登録、検索等を含む）を行うのに必要なプログラムを格納しておき、このプログラムを前記ＣＰＵ１２が読み出して実行することにより、前記情報管理（情報の登録、検索等を含む）を行うように構成されている。
【００６９】
例えば、複数の電子部品を用いて、携帯電話機等の装置を製造する場合には、前記値テーブルに、半田付け温度、半田付け時間、半田付け回数等のデータを登録する。また、日付テーブルには、前記値テーブルに値を登録する予定日として、温度、時間、回数に関する予定日／完了日を登録する。
【００７０】
そして、この情報管理装置２３は、ＣＰＵ１２がハードディスク装置２５Ａ内のプログラムを読み出して実行することにより情報管理のための処理を行う機能を備えている。
【００７１】
また、情報管理装置２３のデータベースに対し、データ登録を行うためのデータ登録装置（外部のコンピュータ等の装置）２１と、情報管理装置２３のデータベースに対し、データ検索を行うためのデータ検索装置２２が設けてある。なお、前記情報管理装置２３と、データ登録装置２１と、データ検索装置２２等を含めて情報管理システムと呼ぶ。
【００７２】
なお、前記データベース７内のプログラムは、外部の他のコンピュータで作成したプログラムを光ディスク、フレキシブルディスク等の任意のリムーバブルディスク（記録媒体）に格納し、そのディスクを、前記情報管理装置（コンピュータ）２３のディスクドライブ（リムーバブルディスクドライブ）により読み取り、その読み取ったプログラムをハードディスク装置２５Ａのデータベース７に格納しても前記と同様に情報管理の処理を行うことも可能である。
【００７３】
§６：情報管理装置による情報管理処理（例１）の説明
(1) ：概要
例１の関連図は図６、図７、図８、図９のＡ図である。この例は、検索対象データ・テーブル（以下、「値テーブル」と記す）と、前記値テーブルに「値」を登録する予定日を記したテーブル（以下、「日付テーブル」と記す）を有する情報管理装置であって、値テーブルの検索対象データ（以下、「値データ」と記す）が検索対象でありながら、同値データが空欄（Ｎｕｌｌ）の場合は、その値データに対応した日付テーブルの日付データを検索結果として出力する例である。
【００７４】
(2) ：「半田付け条件出し」評価進捗管理及び条件値データ登録管理処理の説明
図６は「半田付け条件出し」評価進捗管理及び条件値データ登録管理フローチャート（例１）である。以下、図６に基づいて「半田付け条件出し」評価進捗管理及び条件値データ登録管理（例１）を説明する。なお、図６において、Ｓ１〜Ｓ７は各処理ステップを示す。
【００７５】
この例は、電子部品の半田付け条件出し評価進捗管理（日付データのシステム登録）と、評価結果から得られた半田付け条件値の登録管理（値データのシステム登録）を行う処理である。更に具体的には、この処理は、図３、又は図５に示した情報管理装置を使用して、電子部品Ａ、Ｂ、Ｃの評価進捗管理を図７Ａ図の日付テーブルで行い、評価結果から得られた半田付け条件値を図７のＢ図に示した値テーブルで行う処理である。
【００７６】
先ず、評価スケジュールを立案し（Ｓ１）、日付テーブルへ評価完了予定日データを入力し、承認処理を行い（Ｓ２）、評価を実施する（Ｓ３）。次に、評価結果を基に値テーブルに該当の値データを入力し承認処理を行う（Ｓ４）。次に、日付テーブルへ評価完了日データを入力し承認処理を行う（Ｓ５）。
【００７７】
そして、全ての評価を終了したか否かを判断する（Ｓ６）。その結果、全ての評価を終了していなければ、評価スケジュールの変更は有るか否かを判断し（Ｓ７）、評価スケジュールの変更があれば、前記Ｓ２の処理へ移行し、評価スケジュールの変更がなければ、前記Ｓ３の処理へ移行する。また、前記Ｓ６の処理で全ての評価を終了していれば、この処理を終了する。なお、前記Ｓ１乃至Ｓ７の処理は、全て人手（例えば、オペレータ）の操作により情報管理装置が行う処理なので、各処理の詳細な説明は省略する。
【００７８】
(3) ：日付テーブル例及び値テーブル（例１）の説明
図７は日付テーブル例及び値テーブル例（例１）であり、Ａ図は日付テーブル例、Ｂ図は値テーブル例を示す。
【００７９】
図７のＢ図に示した値テーブルには、電子部品Ａ、Ｂ、Ｃ毎に、半田付け条件値（Ｍａｘ）として、温度（°Ｃ）、時間（ｓｅｃ）、回数のデータが登録できるようになっている。例えば、電子部品Ａに関しては、温度＝１００°Ｃ、時間＝１０ｓｅｃ、回数＝３のデータが登録されている。また、電子部品Ｂに関しては、温度＝未登録、時間＝未登録、回数＝未登録となっている。また、電子部品Ｃに関しては、温度＝１２０°Ｃ、時間＝７ｓｅｃ、回数＝未登録のデータが登録されている。
【００８０】
図７のＡ図に示した日付テーブル例は、電子部品Ａ、Ｂ、Ｃを用いて電気製品（例えば、携帯電話機）を設計及び製作する場合に情報管理を行うためのテーブル例である。この日付テーブル例には、電子部品Ａ、Ｂ、Ｃに分けて、区分と半田付け評価スケジュール（年月日）の欄があり、半田付け評価スケジュール（年月日）の欄には、半田付けの温度（°Ｃ）、時間（ｓｅｃ）、回数のデータが登録できるようになっている。また、前記区分の欄には、電子部品毎に、予定日と完了日を登録できるようになっている。
【００８１】
前記のように、図７のＡ図、Ｂ図に示した日付テーブル例及び値テーブル例から、電子部品Ａは既に評価が完了し、半田付け条件値も情報管理装置で検索可能な状態であることが分かる。他方、電子部品Ｂの全条件値と電子部品Ｃの回数条件値は評価が完了しておらず、これらの条件値は情報管理装置（又はシステム）で検索しても検索結果は空欄（Ｎｕｌｌ）となってしまう。そこで、本発明に係る情報管理装置では、図８に示したような処理を行う。
【００８２】
(4) ：検索結果処理（例１）の説明
図８は検索結果処理フローチャート（例１）である。以下、図８に基づいて、検索結果処理（例１）を説明する。なお、図８において、Ｓ１１〜Ｓ１９は各処理ステップを示す。また、以下に説明する例１の処理は、制御部２４（ＣＰＵ１２＋プログラム）が行う処理である。
【００８３】
先ず、通常の検索処理（従来例と同じ処理）を行い（Ｓ１１）、１番目の検索結果（値データ）をセットする（Ｓ１２）。次に、検索結果（値データ）は空欄（Ｎｕｌｌ）か否かを判断し（Ｓ１３）、空欄（Ｎｕｌｌ）でなければ、検索結果出力（値データ）は無加工（空欄は空欄のまま）とする（Ｓ１４）。
【００８４】
そして、検索結果出力データ全ての加工／無加工処理を終了したか否かを判断し（Ｓ１５）、全ての加工／無加工処理を終了したら、検索結果出力処理を行って（Ｓ１６）、この処理を終了する。また、Ｓ１５の処理で全ての加工／無加工処理を終了していなければ、次の検索結果出力（値データ）をセットし（Ｓ１９）、Ｓ１３の処理へ移行する。
【００８５】
また、Ｓ１３の処理で、検索結果（値データ）が空欄（Ｎｕｌｌ）であれば、該当の予定日データは存在するか否かを判断する（Ｓ１７）。その結果、該当の予定日データが存在しなければ、Ｓ１４の処理へ移行する。また、該当の予定日データが存在したら、検索結果出力（値データ）用として予定日データを加工して（Ｓ１８）、Ｓ１５の処理へ移行する。
【００８６】
以上説明したように、通常の処理を終えた後、検索結果の値データが空欄（Ｎｕｌｌ）か否かを判断（チェック）し、空欄（Ｎｕｌｌ）であった場合は、更に日付テーブルの該当する予定日データが存在するか否かを判断（チェック）し、存在しているなら予定日データを加工（例えば、２００６／１０／２５→２００６／１０／２５予定に加工）し、加工後のデータを値データとして扱う（無加工のまま日付データ（例えば、２００６／１０／２５）を値データと扱ってもよい）。当然のことであるが、値データが空欄（Ｎｕｌｌ）でなかった場合は、その値データがそのまま検索結果出力用の値データとして扱われる。
【００８７】
なお、前記処理において、Ｓ１１、Ｓ１６の処理は従来の処理と同じであるが、それ以外の処理（Ｓ１２乃至Ｓ１５及びＳ１７乃至Ｓ１９）は、従来の処理と異なる処理である。
【００８８】
(5) ：検索結果出力例（例１）の説明
図９は検索結果出力例（その１）であり、Ａ図は出力例（例１）を示す。従来の通常検索では図７のＢ図に示すような検索結果であったものが、以上の処理工程を経ることで、図９のＡ図に示したような出力例（例１）に示す通り、半田付け条件値が未決定な箇所においては、決定時期（＝評価完了予定日）が表示されて、オペレータは同条件値データが登録漏れでないことも識別できる。また、後工程システムとの条件値のデータ連携も可能である。
【００８９】
§７：情報管理装置による情報管理処理（例２）の説明
(1) ：概要
例２の関連図は図９のＢ図、図１０、図１１、図１２である。この例は、日付テーブル上に、値データに対応したデータ（日付データ）として、「値」を登録する予定日と、登録した完了日の２つのデータ領域を設け、対応する値テーブルの値データが空欄（Ｎｕｌｌ）でない場合においても、登録完了日データが未承認の状態では、登録予定日データか登録完了日データ（未承認データ）のいずれかを検索結果として出力する。また、値テーブルの値データが空欄（Ｎｕｌｌ）でなくて、登録完了日データが承認の状態の場合には、値テーブルの該当する値データを検索結果として出力する例である。
【００９０】
(2) ：日付テーブル例及び値テーブル例（例２）の説明
図１０は日付テーブル例及び値テーブル例（例２）であり、Ａ図は日付テーブル例、Ｂ図は値テーブル例を示す。
【００９１】
図１０のＡ図に示した日付テーブル例は、電子部品Ｃの「時間」完了日データ（図の網かけ部分）が未承認の例である。この場合は、図１０のＢ図に示した値テーブル例の条件値データ（７Ｓｅｃ）は承認済（図の網かけ部分）であるが、図１０のＡ図に示した日付テーブル例の評価完了日データ（２００６／７／０９）が未承認なので、情報管理装置は、後述する（図１２参照）ように処理される。
【００９２】
(3) ：検索結果処理（例２）の説明
図１２は検索結果処理フローチャート（例２）である。以下、図１２に基づいて、検索結果処理（例２）を説明する。なお、Ｓ２１〜Ｓ２９は各処理ステップを示す。また、以下に説明する例２の処理は制御部２４（ＣＰＵ１２＋プログラム）が行う処理である。
【００９３】
先ず、通常の検索処理を行い（Ｓ２１）、１番目の検索結果（値データ）をセットする（Ｓ２２）。次に、検索結果（値データ）は空欄（Ｎｕｌｌ）でないかを判断する（Ｓ２３）。その結果、検索結果（値データ）が空欄（Ｎｕｌｌ）であれば、検索結果出力（値データ）として該当の予定日データを使用する（Ｓ２４）。
【００９４】
次に、検索結果出力データ全ての加工／無加工処理を終了したかを判断し（Ｓ２５）、検索結果出力データ全ての加工／無加工処理を終了したら、検索結果出力処理を行い（Ｓ２６）、この処理を終了する。しかし、Ｓ２５の処理で、検索結果出力データ全ての加工／無加工処理を終了していない場合は、次の検索結果出力（値データ）をセットし（Ｓ２９）、Ｓ２３の処理へ移行する。
【００９５】
また、Ｓ２３の処理で、検索結果（値データ）は空欄（Ｎｕｌｌ）でないと判断した場合には、該当の予定日データは承認済か否かを判断する（Ｓ２７）。その結果、該当の予定日データは承認済でないと判断した場合には、Ｓ２４の処理へ移行し、該当の予定日データは承認済であると判断した場合には、検索結果出力（値データ）は無加工で使用する（Ｓ２８）。そして、Ｓ２５の処理へ移行する。
【００９６】
なお、前記処理において、Ｓ２１、Ｓ２６の処理は従来と同じ処理であるが、それ以外の処理は本発明に特有の処理（従来にはなかった処理）である。
【００９７】
(4) ：検索結果出力例（例２）の説明
図９は検索結果出力例（その１）であり、Ｂ図は出力例（例２）を示す。図９のＢ図に示した検索結果出力例（例２）では、電子部品Ｃの「時間」条件値（図の網かけ部分）を表示していない（電子部品Ｃの「時間」予定日データを加工して表示している）。なお、日付データは承認済で、値テーブルのデータが未承認の場合も、検索結果出力は条件値を表示しないことは言うまでもない。
【００９８】
(5) ：日付登録（入力）／承認日テーブル例及び値＿登録（入力）／承認日テーブル例の説明
図１１は日付登録（入力）／承認日テーブル例及び値＿登録（入力）／承認日テーブル例（例２）であり、Ａ図は日付登録（入力）／承認日テーブル例、Ｂ図は値＿登録（入力）／承認日テーブル例を示した図である。なお、図１１において、評価予定日とは値データ登録（入力）予定日を、評価完了日とは、値データ登録（入力）日を指す。
【００９９】
図１１のＡ図に示した日付登録（入力）／承認日テーブル例では、電子部品（電子部品Ａ、Ｃ）毎に、半田付け評価スケジュール登録日／承認日（年月日）に関して、温度（°Ｃ）、時間（ｓｅｃ）、回数の項目があり、これらの項目毎に、予定日と完了日の項目と、半田付け評価スケジュール登録者及び承認者を記入する欄が設けてある。
【０１００】
また、  図１１のＢ図に示した値＿登録（入力）／承認日テーブル例では、電子部品（電子部品Ａ、Ｃ）毎に、半田付け条件値登録日／承認日（年月日）に関して、温度（°Ｃ）、時間（ｓｅｃ）、回数の項目があり、これらの項目毎に、予定日と完了日の項目と、登録者及び承認者を記入する欄が設けてある。
【０１０１】
図１１のＡ図に示した日付テーブル例では、電子部品Ｃの「時間」の完了日は未承認となっている。しかし、図１１のＢ図に示した値＿登録（入力）／承認日テーブル例では、電子部品Ｃの承認者の欄における「時間」の欄は承認済となっている。
【０１０２】
§８：情報管理装置による情報管理処理（例３）の説明
(1) ：概要
例３の関連図は図１３、図１４、図１５、図１６である。この例は、前記例１、２において、日付テーブル上に、値テーブルの当該する値データに対応したデータ（日付データ）が複数存在する場合は、日付データを特定できる識別手段を設け、その識別手段の識別機能で特定の日付データを検索結果として出力する例である。
【０１０３】
(2) ：日付テーブル例及び値テーブル例（例３）の説明
図１３は日付テーブル例及び値テーブル例（例３）であり、Ａ図は日付テーブル例、Ｂ図は値テーブル例を示す。
【０１０４】
図１３Ａの日付テーブルは、電子部品Ａの半田付け評価スケジュールが２００６年４月と２００６年１０月の２グループがある例（他に電子部品Ｃの半田付け評価スケジュールも記載）である。更に、図１３Ａの日付テーブルでは、この２つのグループを識別する手段として「追番」データが設けてあり、前者グループの追番データが０１、後者グループの追番データが０２と割り付いている。
【０１０５】
図１３のＢ図に示した値テーブル例は電子部品Ａの温度データが１００°Ｃから１１０°Ｃに変更（図１３のＡ図の日付テーブルにおいて、電子部品Ａの追番０２の温度評価が０６年１０月８日に完了になり、その結果から温度データが１１０°Ｃに変更になった例）、時間データ１０Ｓｅｃと回数データ３は追番０１の０６年４月１９日〜３０日の評価結果にもとづいて登録されたままとなっている例である。
【０１０６】
(3) ：検索結果出力例（例３）の説明
図１４は検索結果出力例（その２）であり、Ａ図は出力例（例３）を示す。図１４のＡ図に示した検索結果出力例（例３）では、前記のような状態においての検索結果出力例が示されている。
【０１０７】
この例では、図１３のＡ図の電子部品Ａに関して、追番０２の時間と回数が、図１４のＡ図に示した検索結果出力例（例３）の電子部品Ａに関する時間（ｓｅｃ）と回数に出力（図の網かけ部分を参照）されている。
【０１０８】
(4) ：検索結果処理（例３）の説明
図１５は検索結果処理フローチャート（例３）−Ａ、図１６は検索結果処理フローチャート（例３）−Ｂである。以下、図１５、１６に基づいて、検索結果処理（例３）を説明する。なお、Ｓ３１〜Ｓ４１は各処理ステップを示す。また、以下に説明する例３の処理は、制御部２４（ＣＰＵ１２＋プログラム）が行う処理である。
【０１０９】
先ず、通常の検索処理を行い（Ｓ３１）、１番目の検索結果（値データ）をセットする（Ｓ３２）。次に、日付テーブルに値データに対応した同一の被検索データが複数存在するか否かを判断する（Ｓ３３）。その結果、同一の被検索データが複数存在しなければ、該当の予定日データ（完了日データは空欄）が存在するか否かを判断する（Ｓ３４）。
【０１１０】
その結果、該当の予定日データ（完了日データは空欄）が存在れば、検索結果出力（値データ）用として該当の予定日データを加工して使用する（Ｓ３５）。次に、検索結果出力データ全ての加工／無加工処理を終了したか否かを判断する（Ｓ３６）。その結果、検索結果出力データ全ての加工／無加工処理を終了したら、検索結果出力処理を行い（Ｓ３７）、この処理を終了する。また、Ｓ３６の処理で、検索結果出力データ全ての加工／無加工処理を終了していなければ、次の検索結果（値データ）をセットし（Ｓ４１）、Ｓ３３の処理へ移行する。
【０１１１】
また、Ｓ３３の処理で、日付テーブルに値データに対応した同一の被検索データが複数存在すれば、追番で最新の被検索データを特定し（Ｓ３８）、該当の完了日データが存在するか否かを判断する（Ｓ３９）。その結果、該当の完了日データが存在しなければ、Ｓ３５の処理へ移行する。
【０１１２】
また、Ｓ３９の処理で、該当の完了日データが存在すれば、検索結果出力（値データ）は無加工で使用する（Ｓ４０）。そして、Ｓ３６の処理へ移行する。
【０１１３】
§９：情報管理装置による情報管理処理（例４）の説明
(1) ：概要
例４の関連図は図４のＢ図、図９のＡ図である。この例は、前記例１〜３において、前記日付データに任意の文字や記号を付加した情報、または全く別の情報に置き換え（例えば、前記日付データを別の文字列に加工して置き換え）、検索結果として出力する例である。
【０１１４】
更に具体的には、日付データ２００６／１０／２５を検索結果として出力する際、次の(a) 、(b) 、(c) のように表示して真の値データとは区別させる。
【０１１５】
(a) ：カッコ付け（２００６．１０．２５）、(b) ：文字付き（２００６／１０／２５予定）、(c) ：別文字（評価待ち）
§１０：情報管理装置による情報管理処理（例５）の説明
(1) ：概要
例５の関連図は、図１７、図１４のＢ図、図１８、図１９である。この例は、前記例１〜４において、値テーブルに複数の値データがあるものの、日付テーブルには、それらの値データに対応した日付データが存在するものと存在しないものとが混在している場合には、値データ毎に日付データ有無フラグをセットし、そのフラグによって検索結果出力を制御（値データか日付データのどちらを出力するかの制御）する例である。  
【０１１６】
(2) ：日付テーブル例及び値テーブル例（例５）の説明
図１７は日付テーブル例及び値テーブル例（例５）であり、Ａ図は日付テーブル例、Ｂ図は値テーブル例を示す。
【０１１７】
図１７のＢ図に示した値テーブルにおいて、日付データ有無の欄を設け、この日付データ有無をフラグ（日付データ有無フラグ）として利用する。この例では、電子部品Ｙに関して、図１７のＢ図に示した値テーブルのフラグ（日付データ有無フラグ）は「無」となっており、図１７のＡ図に示した日付テーブルには電子部品Ｙの日付データは無い。検索結果出力は、図１４のＢ図に示した通りである。
【０１１８】
(3) ：検索結果処理（例５）の説明
図１８は検索結果処理フローチャート（例５）−Ａ、図１９は検索結果処理フローチャート（例５）−Ｂである。以下、図１８、１９に基づいて、検索結果処理（例５）を説明する。なお、Ｓ５１〜Ｓ６０は各処理ステップを示す。また、以下に説明する例５の処理は、制御部２４（ＣＰＵ１２＋プログラム）が行う処理である。
【０１１９】
先ず、通常の検索処理を行い（Ｓ５１）、１番目の検索結果（値データ）をセットする（Ｓ５２）。次に、「日付データ有無」データは有るか否かを判断する（Ｓ５３）。その結果、「日付データ有無」データがなければ、検索結果出力（値データ）は無加工（空欄は空欄のまま）する（Ｓ５４）。
【０１２０】
次に、検索結果出力データ全ての加工／無加工処理を終了したか否かを判断する（Ｓ５５）。その結果、検索結果出力データ全ての加工／無加工処理を終了したら、検索結果出力処理を行い（Ｓ５６）、この処理を終了する。
【０１２１】
また、Ｓ５３の処理で、「日付データ有無」データが有れば、検索結果出力データが空欄（Ｎｕｌｌ）か否かを判断する（Ｓ５７）。その結果、検索結果出力データが空欄（Ｎｕｌｌ）でなければ、Ｓ５４の処理へ移行する。また、検索結果出力データが空欄（Ｎｕｌｌ）であれば、該当の予定日データが存在するか否かを判断する（Ｓ５８）。その結果、該当の予定日データが存在しなければＳ５４の処理へ移行する。また、該当の予定日データが存在したら、検索結果出力（値データ）用として予定日データを加工し（Ｓ５９）、Ｓ５５の処理へ移行する。
【０１２２】
また、Ｓ５５の処理で、検索結果出力データ全ての加工／無加工処理を終了していなければ、次の検索結果（値データ）をセットし（Ｓ６０）、Ｓ５３の処理へ移行する。
【０１２３】
§１１：情報管理装置による情報管理処理（例６）の説明
(1) ：概要
例６の関連図は、図２０、図２１のＡ図、図２２、図２３である。この例は、前記例１〜４の前記値テーブルにおいて、値データ毎に値データ開示フラグをセットし、そのフラグによって当該値データを検索結果出力として開示するか否かを制御する例である。
【０１２４】
(2) ：日付テーブル、値テーブル、及び検索結果出力例（例６）の説明
図２０は日付テーブル例及び値テーブル例（例６）であり、Ａ図は日付テーブル例、Ｂ図は値テーブル例を示す。また、図２１のＡ図は検索結果出力例（その３）であり、Ａ図は出力例（例６）である。
【０１２５】
図２０のＢ図に示した値テーブル例において、「電子部品Ｂの値データは非開示：Ｎ」となっているため、図２１のＡ図に示した出力例（例６）では、検索結果出力で電子部品Ｂのデータ（日付データを加工したデータを含めて）は一切出力されていない。また、図２０のＢ図に示した値テーブルで「電子部品ＡとＣの値データは開示（Ｙ）」となっているため、電子部品Ａとそのすべてのデータ（電子部品Ｃの回数データは日付データは日付データを加工したデータ）を出力している。
【０１２６】
(3) ：検索結果処理（例６）の説明
図２２は検索結果処理フローチャート（例６）−Ａ、図２３は検索結果処理フローチャート（例６）−Ｂである。以下、図２２、２３に基づいて、検索結果処理（例６）を説明する。なお、Ｓ７１〜Ｓ８０は各処理ステップを示す。また、以下に説明する例６の処理は、制御部２４（ＣＰＵ１２＋プログラム）が行う処理である。
【０１２７】
先ず、通常の検索処理を行い（Ｓ７１）、１番目の検索結果（値データ）をセットする（Ｓ７２）。次に、「値データ開示」フラグはＹ（開示）か否かを判断する（Ｓ７３）。その結果、「値データ開示」フラグがＹ（開示）であれば、検索結果（値データ）が空欄（Ｎｕｌｌ）か否かを判断する（Ｓ７４）。
【０１２８】
その結果、検索結果（値データ）が空欄（Ｎｕｌｌ）でなければ、検索結果出力（値データ）は無加工（空欄は空欄のまま）とする（Ｓ７５）。次に、検索結果出力データ全ての加工／無加工処理を終了したかを判断する（Ｓ７６）。その結果、検索結果出力データ全ての加工／無加工処理を終了したら、検索結果出力処理を行い（Ｓ７７）、この処理を終了する。
【０１２９】
また、Ｓ７４の処理で、検索結果（値データ）が空欄（Ｎｕｌｌ）であれば、該当の予定日データが存在するか否かを判断する（Ｓ７８）。その結果、該当の予定日データが存在しなければ、Ｓ７５の処理へ移行し、該当の予定日データが存在すれば、検索結果出力（値データ）用として予定日データを加工し（Ｓ７９）、Ｓ７６の処理へ移行する。
【０１３０】
また、Ｓ７６の処理で、検索結果出力データ全ての加工／無加工処理を終了していない場合には、次の検索結果（値データ）をセットし、Ｓ７３の処理へ移行する。また、Ｓ７３の処理で、「値データ開示」フラグがＮ（非開示）であれば、Ｓ８０の処理へ移行する。
【０１３１】
§１２：情報管理装置による情報管理処理（例７）の説明
(1) ：概要
例７の関連図は図２４、図２５、図２６である。この例は、値テーブルの値データが登録され承認された時点で、値データに対応する日付テーブル上の登録完了日データを自動的に登録（自動セット）し、承認者の登録完了日データ承認行為を行わない例である。
【０１３２】
(2) ：日付テーブル、値テーブル、及び検索結果出力例の説明
図２４は日付テーブル例及び値テーブル例（例７）であり、Ａ図は日付テーブル例、Ｂ図は値テーブル例を示す。また、図２５は予定日付け登録（入力）／承認日テーブル例及び値＿登録（入力）／承認日テーブル例（例７）であり、Ａ図は予定日付け登録（入力）／承認日テーブル例、Ｂ図は値＿登録（入力）／承認日テーブル例である。
【０１３３】
例えば、電子部品Ａの値テーブルの「時間」値データ（１０ｓｅｃ）が２００６年２月８日に図２４のＢ図に示した値テーブル例及び図２５のＢ図に示した値＿登録（入力）／承認日テーブル例のとおり登録（入力）され、その値データは図２５のＢ図に示した値＿登録（入力）／承認日テーブル例で２００６年２月９日に承認されたとする。以下、図２６に基づいて詳細な処理を説明する。
【０１３４】
(3) ：検索結果処理（例７）の説明
図２６は「半田付け条件出し」評価進捗管理及び条件値登録管理フローチャート（例７）である。以下、図２６に基づいて、検索結果処理（例７）の「半田付け条件出し」評価進捗管理及び条件値登録管理（例７）を説明する。なお、図２６において、Ｓ９１〜Ｓ９８は各処理ステップを示す。なお、図２６の処理において、Ｓ９５及びＳ９６の処理は情報管理装置が自動的に行う処理（本発明に特有の処理）であるが、他の処理は人手（オペレータ等）の操作により情報管理装置が行う処理（従来の処理と同じ）である。
【０１３５】
先ず、評価スケジュールを立案し（Ｓ９１）、日付テーブルへ評価予定日データを入力し、予定日付けテーブルで登録・承認を行い（Ｓ９２）、評価を実施する（Ｓ９３）。次に、評価結果を基に値テーブルに該当の値データを入力し値＿登録（入力）／承認日テーブル（図２５のＢ図参照）で承認処理を行う（Ｓ９４）。
【０１３６】
次に、日付テーブルで該当電子部品の日付データ（予定日データ）があるか否かを判断する（Ｓ９５）。その結果、日付テーブルで該当電子部品の日付データ（予定日データ）があれば、日付テーブルの該当登録完了日データの欄に承認日を自動セットする（Ｓ９６）。
【０１３７】
次に、全ての評価を終了したか否かを判断する（Ｓ９７）。その結果、全ての評価を終了していれば、この処理を終了するが、全ての評価を終了していなければ、評価スケジュールの変更有無を判断し（Ｓ９８）、評価スケジュールの変更があれば、Ｓ９２の処理へ移行し、評価スケジュールの変更がなければ、Ｓ９３の処理へ移行する。また、Ｓ９５の処理で、日付テーブルで該当電子部品の日付データ（予定日データ）がなければ、Ｓ９７の処理へ移行する。
【０１３８】
前記処理（又は人手による作業）において、例えば、電子部品Ａの値テーブルの「時間」値データ（１０ｓｅｃ）が２００６年２月８日に図２４のＢ図に示した値テーブル例及び図２５のＢ図に示した値＿登録（入力）／承認日テーブル例のとおり登録（入力）され、その値データは図２５のＢ図の値＿登録（入力）／承認日テーブルで２００６年２月９日に承認されたとする（ここまでは、前記Ｓ９４の処理）。
【０１３９】
また、前記Ｓ９５の処理で、当該電子部品（電子部品Ａ）が日付テーブル（図２４のＡ図参照）に存在するか否かを見て、予定日データが登録されていて、完了日が空欄（Ｎｕｌｌ）の電子部品Ａが存在していたら、前記Ｓ９６の処理で、「時間」の完了日に、図２５のＢ図の値＿登録（入力）／承認日テーブル例で承認された日（２００６年２月９日）データを自動セットして、完了日データの登録及び承認を省略する。
【０１４０】
§１３：情報管理装置による情報管理処理（例８）の説明
(1) ：概要
例８の関連図は図２７、図２８である。この例は、値テーブルの値データが空欄（Ｎｕｌｌ）の状態で、対応する日付テーブル上の登録完了日データを登録しようとすると、日付データ完了作業ができない機能を備えた例である。すなわち、例８では、データベースの品質向上を目的とした例であり、データベースの登録ミスによる値テーブルと日付テーブル間の論理矛盾が起きないように改善した例である。
【０１４１】
(2) ：検索結果処理（例８）の説明
図２７は「半田付け条件出し」評価及び条件値データ登録処理フローチャート（例８）−Ａ、図２８は「半田付け条件出し」評価及び条件値データ登録処理フローチャート（例８）−Ｂである。以下、図２７、図２８に基づいて、検索結果処理（例８）の「半田付け条件出し」評価及び条件値データ登録処理を説明する。また、以下に説明する例８の処理（図２７、図２８参照）において、Ｓ１０１〜Ｓ１０５及びＳ１１０、Ｓ１０７、Ｓ１０８、Ｓ１１１は、人手（オペレータ等）の操作により情報管理装置が処理であるが、それ以外の処理は制御部２４（ＣＰＵ１２＋プログラム）が自動的に行う処理である。
【０１４２】
なお、図２７、図２８において、Ｓ１０１〜Ｓ１１１は各処理ステップを示す。先ず、評価スケジュールを立案し（Ｓ１０１）、日付テーブルへ評価完了予定日データを入力し、予定日付けテーブルで登録・承認を行い（Ｓ１０２）、評価を実施する（Ｓ１０３）。次に、評価結果を基に値テーブルに該当の値データを入力し承認処理を行う（Ｓ１０４）。
【０１４３】
次に、日付テーブルに該当の評価完了日データ（登録完了日データ）を入力する（Ｓ１０５）。そして、値テーブルの該当の値データは空欄（Ｎｕｌｌ）ではないかを判断する（Ｓ１０６）。その結果、値テーブルの該当の値データが空欄（Ｎｕｌｌ）でなければ、入力した評価完了日データ（登録完了日）データを承認する（Ｓ１０７）。次に、全ての評価を終了したか否かを判断し（Ｓ１０８）、全ての評価を終了したらこの処理を終了する。
【０１４４】
また、Ｓ１０６の処理で、値テーブルの該当の値データが空欄（Ｎｕｌｌ）の場合には、「値データ未登録」のアラーム表示を行う（Ｓ１０９）。次に、日付テーブルの評価完了日データ（登録完了日）データを修正し（Ｓ１１０）、Ｓ１０６の処理へ移行する。また、Ｓ１０８の処理で、全ての評価を終了していない場合には、評価スケジュールの変更有無を判断する（Ｓ１１１）。その結果、評価スケジュールの変更が有れば、Ｓ１０２の処理へ移行する。また、評価スケジュールの変更が無い場合には、Ｓ１０３の処理へ移行する。
【０１４５】
§１４：情報管理装置による情報管理処理（例９）の説明
(1) ：概要
例９の関連図は図２９、図２１のＢ図、図３０、図３１である。この例は、検索結果として出力する日付テーブルの登録予定日データが過去の日付データであった場合、あらかじめ決めたルールの日付データ（例えば、検索実行当日から１週間後の年月日）を検索結果として出力する例である。
【０１４６】
(2) ：日付テーブル、値テーブル、及び検索結果出力例（例９）の説明
図２９は日付テーブル例及び値テーブル例（例９）であり、Ａ図は日付テーブル例、Ｂ図は値テーブル例を示す。図２１は検索結果出力例（その３）であり、Ｂ図は出力（例９）を示す。
【０１４７】
この例では、図２９のＡ図に示す日付テーブルにおいて、電子部品Ｃの「時間」半田付け評価スケジュール・データ（予定日データ：７月１０日）が７月２０日時点では過去の日付データとなっているため、同時点の検索結果出力は、図２１のＢ図に示した検索結果出力例（例９）のように、電子部品Ｃの「時間」半田付け評価スケジュールは「７月３０日予定」と、あえて予定日データとは別の任意の日付け（ここでは２０日後の７月３０日）表示する。このようにすることで、スケジュール遅れを自動的に更新できるメリットがある。
【０１４８】
(3) ：検索結果処理（例９）の説明
図３０は検索結果処理フローチャート（例９）−Ａ、図３１は検索結果処理フローチャート（例９）−Ｂである。以下、図３０、３１に基づいて、検索結果処理（例９）を説明する。なお、Ｓ１２１〜Ｓ１３１は各処理ステップを示す。また、以下に説明する例９の処理は、制御部２４（ＣＰＵ１２＋プログラム）が行う処理である。また、Ｓ１２１、Ｓ１２６は従来と同じ処理であるが、それ以外の処理は本発明に特有の処理である。
【０１４９】
先ず、通常の検索処理を行い（Ｓ１２１）、１番目の検索結果（値データ）をセットする（Ｓ１２２）。次に、値データが空欄（Ｎｕｌｌ）か否かを判断する（Ｓ１２３）。その結果、値データが空欄（Ｎｕｌｌ）でなければ、検索結果出力（値データ）は無加工（空欄は空欄のまま）する（Ｓ１２４）。
【０１５０】
次に、検索結果出力データ全ての加工／無加工処理を終了したかを判断する（Ｓ１２５）。その結果、検索結果出力データ全ての加工／無加工処理を終了したら、検索結果出力処理を行い（Ｓ１２６）、この処理を終了する。
【０１５１】
また、Ｓ１２３の処理で、値データが空欄（Ｎｕｌｌ）であれば、該当の予定日データが存在するかを判断する（Ｓ１２７）。その結果、該当の予定日データが存在しなければ、Ｓ１２４の処理へ移行する。また、該当の予定日データが存在すれば、予定日データは検索実行前の日付か否かを判断する（Ｓ１２８）。
【０１５２】
その結果、予定日データが検索実行前の日付であれば、検索結果出力（値データ）用として該当の予定日データに任意の日数を加算した日付データを使用する（Ｓ１２９）。そして、Ｓ１２５の処理へ移行する。また、Ｓ１２８の処理で、予定日データが検索実行前の日付でない場合には、検索結果出力（値データ）用として予定日データをセットし（Ｓ１３１）、Ｓ１２５の処理へ移行する。
【０１５３】
また、Ｓ１２５の処理で、検索結果出力データ全ての加工／無加工処理を終了していない場合には、次の検索結果（値データ）をセットし（Ｓ１３０）、Ｓ１２３の処理へ移行する。
【０１５４】
§１５：情報管理装置による情報管理処理（例１０）の説明
(1) ：概要
例１０の関連図は図３２である。この例は、前記例６において、日付テーブルに複数の登録予定日データが登録承認されていて、それに対応する複数の登録予定日データ全てが登録承認されたら、自動で該当する値データの開示フラグを立てる（値データを開示する状態にする）例、すなわち、図２０のＢ図に示された値テーブルに自動登録できるように改良した例である。
【０１５５】
(2) ：検索結果処理（例１０）の説明
図３２は「値データ開示フラグ」自動設定処理フローチャート（例１０）である。以下、図３２に基づいて、検索結果処理（例１０）を説明する。なお、図３２において、Ｓ１４１〜Ｓ１４６は各処理ステップを示す。また、以下に説明する例１０の処理は、制御部２４（ＣＰＵ１２＋プログラム）が行う処理である。
【０１５６】
先ず、該当物の開示フラグデータはＮ（非開示）か否かを判断する（Ｓ１４１）。その結果、該当物の開示フラグデータがＮ（非開示）であれば、該当物の１番目の日付データ（予定日データ）をセットする（Ｓ１４２）。次に、予定日データに対応する日付データ（完了日データ）は空欄（Ｎｕｌｌ）か否かを判断する（Ｓ１４３）。
【０１５７】
その結果、予定日データに対応する日付データ（完了日データ）が空欄でない場合は、該当物の予定日データに対応する日付データ（完了日データ）は全て登録承認済か否かを判断する（Ｓ１４４）。その結果、該当物の予定日データに対応する日付データ（完了日データ）が全て登録承認済であれば、該当物の開示フラグをＹ（開示）にセットして（Ｓ１４５）、この処理を終了する。
【０１５８】
また、Ｓ１４１の処理で、該当物の開示フラグデータがＹ（開示）の場合には、この処理を終了する。また、Ｓ１４３の処理で、予定日データに対応する日付データ（完了日データ）は空欄の場合には、この処理を終了する。また、Ｓ１４４の処理で、該当物の予定日データに対応する日付データ（完了日データ）は全て登録承認済でない場合には、次の日付データ（予定日データ）をセットし（Ｓ１４６）、Ｓ１４３の処理へ移行する。
【０１５９】
§１６：その他の説明
(1) ：前記例１乃至例１０では、電子機器又は電気製品（例えば、携帯電話機）を設計及び製造する場合に、その部品である電子部品を半田付けを行って製造する例について説明したが、本発明は前記の例に限らず、製品の設計及び製造に必要な他の情報に関する管理を行う場合にも前記と同様に適用可能である。
【０１６０】
(2) ：本発明の情報管理装置は、前記のような電子機器又は電気製品（例えば、携帯電話機）を設計及び製造する場合に適用できるだけでなく、作業日程（スケジュール・データ）とその作業の結果から得られるデータ（作業結果としての値データ）の両方をデータベースで管理するような技術分野で利用可能である。
【０１６１】
例えば、治療検査情報管理装置（又は、情報管理システム）、建物耐震強度実施情報管理装置（又は、情報管理システム）、車検情報管理装置（又は、情報管理システム）等の技術分野で利用可能である。
【０１６２】
§１７：付記
前記の説明に対し次の構成を付記する。
【０１６３】
（付記１）
装置内の各種処理や制御を行う制御部と、データベースを格納したデータベース格納部と、検索結果出力データを格納する検索結果出力データ格納部と、入出力制御を行う入出力制御部と、データ入力を行うデータ入力部と、検索項目の入力を行う検索項目入力部と、検索結果データを出力する検索結果データ出力部を少なくとも備え、
前記データベースに、検索対象データを登録する値テーブルと、前記値テーブルに値を登録する予定日を記した日付テーブルを有し、前記データベースを利用して情報の登録及び検索を含む情報管理を行う情報管理装置であって、
前記制御部が前記データベースを検索することにより、前記値テーブルの検索対象の値データが検索結果対象でありながら、同値データが空欄であると判断した場合は、その値データに対応した前記日付テーブルの日付データを検索結果として出力する第１制御手段を備えていることを特徴とする情報管理装置。
【０１６４】
（付記２）
前記日付テーブル上に、値データに対応した日付データとして、値を登録する予定日と、登録した完了日の２つのデータ領域を設け、
前記制御部が前記データベースを検索することにより、対応する値テーブルの値データが空欄でなくても、登録完了日データが未承認の状態であると判断した場合は、前記登録予定日データか、前記登録完了日データのいずれかを検索結果として出力する第２制御手段と、
前記制御部が前記データベースを検索することにより、前記値テーブルの値データが空欄でなくて、前記登録完了日データが承認の状態であると判断した場合は、値テーブルの当該する値データを検索結果として出力する第３制御手段を備えていることを特徴とする付記１記載の情報管理装置。
【０１６５】
（付記３）
前記値テーブル上に、前記値テーブルの当該する値データに対応した日付データが複数存在する場合は、日付データを特定できる識別手段を設け、
前記制御部は、前記識別手段の識別機能で特定の日付データを検索結果として出力する第４制御手段を備えていることを特徴とする付記１又は２記載の情報管理装置。
【０１６６】
（付記４）
前記制御部は、前記日付データに任意の文字や記号を付加した状態、又は全く別の情報に置き換え、検索結果として出力する第５制御手段を備えていることを特徴とする付記１又は２記載の情報管理装置。
【０１６７】
（付記５）
前記制御部が前記データベースを検索することにより、前記値テーブルに複数の値データがあるものの、日付テーブルには、それらの値データに対応した日付データが存在するものと、存在しないものとが混在していると判断した場合には、値データ毎に日付データ有無フラグをセットし、そのフラグによって検索結果出力を制御する第６制御手段を備えていることを特徴とする付記１又は２記載の情報管理装置。
【０１６８】
（付記６）
前記制御部は、前記値テーブルにおいて値データ毎に値データ開示フラグをセットし、そのフラグによって当該値データを検索結果出力として開示するか否かを制御する第７制御手段を備えていることを特徴とする付記１又は２記載の情報管理装置。
【０１６９】
（付記７）
前記制御部は、前記値テーブルの値データが登録され承認された時点で、値データに対応する日付テーブル上の登録完了日データを自動的にセットし、承認者の登録完了日データの承認行為を行わないように制御する第８制御手段を備えていることを特徴とする付記２記載の情報管理装置。
【０１７０】
（付記８）
前記制御部が前記データベースを検索することにより、前記値テーブルの値データが空欄（Ｎｕｌｌ）の状態であると判断した場合、対応する日付テーブル上の登録完了日データを登録しようとすると、日付データ登録完了作業ができないように制御を行う第９制御手段を備えていることを特徴とする付記２記載の情報管理装置。
【０１７１】
（付記９）
前記制御部が前記データベースを検索することにより、検索結果として出力する日付テーブルの登録予定日データが過去の日付データであったと判断した場合には、予め決めたルールの日付データを検索結果として出力する第１０制御手段を備えていることを特徴とする付記１記載の情報管理装置。
【０１７２】
（付記１０）
前記制御部が前記データベースを検索することにより、前記日付テーブルに複数の登録予定日データが登録承認されていて、それに対応する複数の登録完了日データが全て登録承認されていると判断した場合は、自動的に該当する値データの開示フラグを立てる第１１制御手段を備えていることを特徴とする付記６記載の情報管理装置。
【０１７３】
（付記１１）
装置内の各種処理や制御を行う制御部と、データベースを格納したデータベース格納部と、検索結果出力データを格納する検索結果出力データ格納部と、入出力制御を行う入出力制御部と、データ入力を行うデータ入力部と、検索項目の入力を行う検索項目入力部と、検索結果データを出力する検索結果データ出力部を少なくとも備え、
前記データベースに、検索対象データを登録する値テーブルと、前記値テーブルに値を登録する予定日を記した日付テーブルを有し、前記データベースを利用して情報の登録及び検索を含む情報管理を行う情報管理装置の情報管理方法であって、
前記制御部が前記データベースを検索することにより、前記値テーブルの検索対象の値データが検索結果対象でありながら、同値データが空欄であると判断した場合は、その値データに対応した前記日付テーブルの日付データを検索結果として出力する第１ステップを有することを特徴とする情報管理装置の情報管理方法。
【０１７４】
（付記１２）
前記日付テーブル上に、値データに対応した日付データとして、値を登録する予定日と、登録した完了日の２つのデータ領域を設け、
前記制御部が前記データベースを検索することにより、対応する値テーブルの値データが空欄でなくても、登録完了日データが未承認の状態であると判断したら、前記登録予定日データか、前記登録完了日データのいずれかを検索結果として出力する第２ステップと、
前記制御部が前記データベースを検索することにより、前記値テーブルの値データが空欄でなくて、前記登録完了日データが承認の状態であると判断した場合は、値テーブルの当該する値データを検索結果として出力する第３ステップを有することを特徴とする付記１１記載の情報管理装置の情報管理方法。
【０１７５】
（付記１３）
装置内の各種処理や制御を行う制御部と、データベースを格納したデータベース格納部と、検索結果出力データを格納する検索結果出力データ格納部と、入出力制御を行う入出力制御部と、データ入力を行うデータ入力部と、検索項目の入力を行う検索項目入力部と、検索結果データを出力する検索結果データ出力部を少なくとも備え、
前記データベースに、検索対象データを登録する値テーブルと、前記値テーブルに値を登録する予定日を記した日付テーブルを有し、前記データベースを利用して情報の登録及び検索を含む情報管理を行う情報管理装置を、
前記制御部が前記データベースを検索することにより、前記値テーブルの検索対象の値データが検索結果対象でありながら、同値データが空欄であると判断した場合は、その値データに対応した前記日付テーブルの日付データを検索結果として出力する第１制御手段として機能させるためのプログラム、又は該プログラムを記録したコンピュータ読み取り可能な記録媒体。
【０１７６】
（付記１４）
前記日付テーブル上に、値データに対応した日付データとして、値を登録する予定日と、登録した完了日の２つのデータ領域を設け、
前記制御部が前記データベースを検索することにより、対応する値テーブルの値データが空欄でなくても、登録完了日データが未承認の状態であると判断した場合は、前記登録予定日データか、前記登録完了日データのいずれかを検索結果として出力する第２制御手段と、
前記制御部が前記データベースを検索することにより、前記値テーブルの値データが空欄でなくて、前記登録完了日データが承認の状態であると判断した場合は、値テーブルの当該する値データを検索結果として出力する第３制御手段として機能させるための付記１３記載のプログラム、又は該プログラムを記録したコンピュータ読み取り可能な記録媒体。
【図面の簡単な説明】
【０１７７】
【図１】本発明の原理説明図である。
【図２】実施の形態における装置設計・製造試験プロセス全体の説明図である。
【図３】実施の形態における情報管理装置のブロックダイヤグラム例である。
【図４】実施の形態における情報検索結果出力例の比較説明図であり、Ａ図は従来例、Ｂ図は本発明の例である。
【図５】実施の形態における情報管理装置例である。
【図６】実施の形態における「半田付け条件出し」評価進捗管理及び条件値データ登録管理フローチャート（例１）である。
【図７】実施の形態における日付テーブル例及び値テーブル例（例１）であり、Ａ図は日付テーブル例、Ｂ図は値テーブル例である。
【図８】実施の形態における検索結果処理フローチャート（例１）である。
【図９】実施の形態における検索結果出力例（その１）であり、Ａ図は出力例（例１）、Ｂ図は出力例（例２）である。
【図１０】実施の形態における日付テーブル例及び値テーブル例（例２）であり、Ａ図は日付テーブル例、Ｂ図は値テーブル例である。
【図１１】実施の形態における日付登録（入力）／承認日テーブル例及び値＿登録（入力）／承認日テーブル例（例２）であり、Ａ図は日付登録（入力）／承認日テーブル例、Ｂ図は値＿登録（入力）／承認日テーブル例である。
【図１２】実施の形態における検索結果処理フローチャート（例２）である。
【図１３】実施の形態における日付テーブル例及び値テーブル例（例３）であり、Ａ図は日付テーブル例、Ｂ図は値テーブル例である。
【図１４】実施の形態における検索結果出力例（その２）であり、Ａ図は出力例（例３）、Ｂ図は出力例（例５）である。
【図１５】実施の形態における検索結果処理フローチャート（例３）−Ａである。
【図１６】実施の形態における検索結果処理フローチャート（例３）−Ｂである。
【図１７】実施の形態における日付テーブル例及び値テーブル例（例５）であり、Ａ図は日付テーブル例、Ｂ図は値テーブル例である。
【図１８】実施の形態における検索結果処理フローチャート（例５）−Ａである。
【図１９】実施の形態における検索結果処理フローチャート（例５）−Ｂである。
【図２０】実施の形態における日付テーブル例及び値テーブル例（例６）であり、Ａ図は日付テーブル例、Ｂ図は値テーブル例である。
【図２１】実施の形態における検索結果出力例（その３）であり、Ａ図は出力例（例６）、Ｂ図は出力例（例９）である。
【図２２】実施の形態における検索結果処理フローチャート（例６）−Ａである。
【図２３】実施の形態における検索結果処理フローチャート（例６）−Ｂである。
【図２４】実施の形態における日付テーブル例及び値テーブル例（例７）であり、Ａ図は日付テーブル例、Ｂ図は値テーブル例である。
【図２５】実施の形態における予定日付登録（入力）／承認日テーブル例及び値＿登録（入力）承認日テーブル例（例７）であり、Ａ図は予定日付登録（入力）／承認日テーブル例、Ｂ図は値＿登録（入力）／承認日テーブル例である。
【図２６】実施の形態における「半田付け条件出し」評価進捗管理及び条件値登録管理フローチャート（例７）である。
【図２７】実施の形態における「半田付け条件出し」評価及び条件値データ登録管理フローチャート（例８）−Ａである。
【図２８】実施の形態における「半田付け条件出し」評価及び条件値データ登録管理フローチャート（例８）−Ｂである。
【図２９】実施の形態における日付テーブル例及び値テーブル例（例９）であり、Ａ図は日付テーブル例、Ｂ図は値テーブル例である。
【図３０】実施の形態における検索結果処理フローチャート（例９）−Ａである。
【図３１】実施の形態における検索結果処理フローチャート（例９）−Ｂである。
【図３２】実施の形態における「値データ開示フラグ」自動設定処理フローチャート（例１０）である。
【符号の説明】
【０１７８】
１  部品リスト
２  基本回路図
３  ＢＯＭ（Bill of Marerisls ）：部品表又は部品構成表
４  新部品評価後の新部品リスト
５  ＣＡＤライブラリ
６  装置設計情報格納部
７  データベース（ＤＢ）
８  装置製造試験情報格納部
１１  入出力制御部
１２  ＣＰＵ（プロセッサ）
１４  ワークメモリー部
１５  検索結果出力データ格納部
１６  データ入力部
１７  検索結果データ出力部
１８  検索項目入力部
２１  データ登録装置
２２  データ検索装置
２３  情報管理装置
２４  制御部（プロセッサ＋プログラムを含む）
２５  データベース格納部
２５Ａ  ハードディスク装置
【図１】
2008146513.tif 000003
【図２】
2008146513.tif 000004
【図３】
2008146513.tif 000005
【図４】
2008146513.tif 000006
【図５】
2008146513.tif 000007
【図６】
2008146513.tif 000008
【図７】
2008146513.tif 000009
【図８】
2008146513.tif 000010
【図９】
2008146513.tif 000011
【図１０】
2008146513.tif 000012
【図１１】
2008146513.tif 000013
【図１２】
2008146513.tif 000014
【図１３】
2008146513.tif 000015
【図１４】
2008146513.tif 000016
【図１５】
2008146513.tif 000017
【図１６】
2008146513.tif 000018
【図１７】
2008146513.tif 000019
【図１８】
2008146513.tif 000020
【図１９】
2008146513.tif 000021
【図２０】
2008146513.tif 000022
【図２１】
2008146513.tif 000023
【図２２】
2008146513.tif 000024
【図２３】
2008146513.tif 000025
【図２４】
2008146513.tif 000026
【図２５】
2008146513.tif 000027
【図２６】
2008146513.tif 000028
【図２７】
2008146513.tif 000029
【図２８】
2008146513.tif 000030
【図２９】
2008146513.tif 000031
【図３０】
2008146513.tif 000032
【図３１】
2008146513.tif 000033
【図３２】
2008146513.tif 000034